(57)【要約】【課題】  設定された処理モードの処理条件の確認を容易にする。【解決手段】  ＸＹ独立ズームモードの設定画面を介してユーザにより処理条件が既に設定済の場合に標準画面の表示がなされた状態のままで操作部に表示させるキー４１１がユーザにより押された場合に、該既にユーザにより設定済み処理条件が表示内容に反映済みのＸＹ独立ズームの設定画面（図１２（ｂ）、（ｃ））を表示させ、拡大連写モードにおいても同様にする。【選択図】  図１２
2006094554.tif 000002
【特許請求の範囲】
【請求項１】
印刷手段を具備する画像形成装置であって、
前記印刷手段による印刷を行ううえで操作手段を介してユーザから処理条件を受付可能な処理モードに該当する第１の処理モードと第２の処理モードとを含む複数種類の処理モードのうちの、該第１の処理モードの処理条件をユーザから受付可能にする第１の表示を、該操作手段により、実行させ、且つ、該第１の表示を介して、該第１の処理モードの処理条件を、ユーザから受付可能にする、制御手段を、具備し、
前記制御手段は、
前記複数種類の処理モードのうちの前記第２の処理モードの処理条件をユーザから受付可能にする第２の表示を、前記操作手段により、実行させ、且つ、該第２の表示を介して、該第２の処理モードの処理条件を、ユーザから受付可能にし、
更に、前記制御手段は、
前記第１の表示を介して前記第１の処理モードの処理条件を既にユーザから受付済みの場合に、該既にユーザから受付済みの第１の処理モードの処理条件を前記操作手段を介してユーザにより確認可能にする表示を該操作手段に実行させる第１のユーザ要求を、前記印刷手段による印刷に要する記録紙に係わる情報及び印刷部数に係わる情報の少なくとも何れかの情報を含む前記画像形成装置の標準設定情報の表示を該操作手段に実行させた状態のままで、該操作手段を介して、ユーザから受付可能にし、一方、
前記第２の表示を介して前記第２の処理モードの処理条件を既にユーザから受付済みの場合に、該既にユーザから受付済みの第２の処理モードの処理条件を前記操作手段を介してユーザにより確認可能にする表示を該操作手段に実行させる第２のユーザ要求を、前記標準設定情報の表示を該操作手段に実行させた状態のままで、該操作手段を介して、ユーザから受付可能にし、
更に、前記制御手段は、
前記操作手段により前記標準設定情報の表示がなされた状態にて該操作手段を介して前記第１のユーザ要求をユーザから受付けた場合に、前記既にユーザから受付済みの第１の処理モードの処理条件をユーザにより確認可能にする表示として、該第１の処理モードの処理条件を既にユーザから受付済みである事が既に表示内容に反映済みの前記第１の表示を、該操作手段により、実行させ、一方、
前記操作手段により前記標準設定情報の表示がなされた状態にて該操作手段を介して前記第２のユーザ要求をユーザから受付けた場合に、前記既にユーザから受付済みの第２の処理モードの処理条件をユーザにより確認可能にする表示として、該第２の処理モードの処理条件を既にユーザから受付済みである事が既に表示内容に反映済みの前記第２の表示を、該操作手段により、実行させる、ことを特徴とする画像形成装置。
【請求項２】
前記複数種類の処理モードは、拡大連写モード及び縮小レイアウトモードの少なくとも何れかの画像処理モードを含むことを特徴とする請求項１記載の画像形成装置。
【請求項３】
前記第１の処理モード及び前記第２の処理モードの何れかの処理モードの処理条件として、記録紙のサイズをユーザにより特定させる処理条件を、前記操作手段を介して、ユーザから受付可能にする、ことを特徴とする請求項１又は２記載の画像形成装置。
【請求項４】
前記第１の処理モード及び前記第２の処理モードの何れかの処理モードの処理条件として、印刷倍率をユーザにより特定させる為の処理条件を、前記操作手段を介して、ユーザから受付可能にする、ことを特徴とする請求項１〜３の何れかに記載の画像形成装置。
【請求項５】
前記制御手段は、
前記第１のユーザ要求も、前記第２のユーザ要求も、ユーザからの処理条件の受付が完了したうえで前記操作手段に実行させる特定の表示を介して、ユーザから受付可能にする、ことを特徴とする請求項１〜４の何れかに記載の画像形成装置。
【請求項６】
前記制御手段は、
前記第１のユーザ要求をユーザから受付可能にする特定の表示として、前記第１の処理モードの名称を示した表示を、前記操作手段により、実行させ、
前記第２のユーザ要求をユーザから受付可能にする特定の表示として、前記第２の処理モードの名称を示した表示を、前記操作手段により、実行させる、ことを特徴とする請求項５記載の画像形成装置。
【請求項７】
前記操作手段は、タッチパネル形式の表示手段を具備した操作手段であることを特徴とする請求項１〜６の何れかに記載の画像形成装置。
【請求項８】
前記画像形成装置が具備する原稿読取手段により読取った原稿の画像を前記印刷手段により記録紙に印刷可能にすることを特徴とする請求項１〜７の何れかに記載の画像形成装置。
【請求項９】
前記画像形成装置はカラー画像を記録紙に印刷可能なカラー画像形成装置であることを特徴とする請求項１〜８の何れかに記載の画像形成装置。
【請求項１０】
印刷手段を具備する画像形成装置の該印刷手段による印刷を行ううえで操作手段を介してユーザから処理条件を受付可能な処理モードに該当する第１の処理モードと第２の処理モードとを含む複数種類の処理モードのうちの、該第１の処理モードの処理条件をユーザから受付可能にする第１の表示を、該操作手段により、実行させ、且つ、該第１の表示を介して、該第１の処理モードの処理条件を、ユーザから受付可能にし、
前記複数種類の処理モードのうちの前記第２の処理モードの処理条件をユーザから受付可能にする第２の表示を、前記操作手段により、実行させ、且つ、該第２の表示を介して、該第２の処理モードの処理条件を、ユーザから受付可能にし、
更に、
前記第１の表示を介して前記第１の処理モードの処理条件を既にユーザから受付済みの場合に、該既にユーザから受付済みの第１の処理モードの処理条件を前記操作手段を介してユーザにより確認可能にする表示を該操作手段に実行させる第１のユーザ要求を、前記印刷手段による印刷に要する記録紙に係わる情報及び印刷部数に係わる情報の少なくとも何れかの情報を含む前記画像形成装置の標準設定情報の表示を該操作手段に実行させた状態のままで、該操作手段を介して、ユーザから受付可能にし、一方、
前記第２の表示を介して前記第２の処理モードの処理条件を既にユーザから受付済みの場合に、該既にユーザから受付済みの第２の処理モードの処理条件を前記操作手段を介してユーザにより確認可能にする表示を該操作手段に実行させる第２のユーザ要求を、前記標準設定情報の表示を該操作手段に実行させた状態のままで、該操作手段を介して、ユーザから受付可能にし、
更に、
前記操作手段により前記標準設定情報の表示がなされた状態にて該操作手段を介して前記第１のユーザ要求をユーザから受付けた場合に、前記既にユーザから受付済みの第１の処理モードの処理条件をユーザにより確認可能にする表示として、該第１の処理モードの処理条件を既にユーザから受付済みである事が既に表示内容に反映済みの前記第１の表示を、該操作手段により、実行させ、一方、
前記操作手段により前記標準設定情報の表示がなされた状態にて該操作手段を介して前記第２のユーザ要求をユーザから受付けた場合に、前記既にユーザから受付済みの第２の処理モードの処理条件をユーザにより確認可能にする表示として、該第２の処理モードの処理条件を既にユーザから受付済みである事が既に表示内容に反映済みの前記第２の表示を、該操作手段により、実行させる、ことを特徴とする操作制御方法。
【請求項１１】
前記複数種類の処理モードは、拡大連写モード及び縮小レイアウトモードの少なくとも何れかの画像処理モードを含むことを特徴とする請求項１０記載の操作制御方法。
【請求項１２】
前記第１の処理モード及び前記第２の処理モードの何れかの処理モードの処理条件として、記録紙のサイズをユーザにより特定させる処理条件を、前記操作手段を介して、ユーザから受付可能にする、ことを特徴とする請求項１０又は１１記載の操作制御方法。
【請求項１３】
前記第１の処理モード及び前記第２の処理モードの何れかの処理モードの処理条件として、印刷倍率をユーザにより特定させる為の処理条件を、前記操作手段を介して、ユーザから受付可能にする、ことを特徴とする請求項１０〜１２の何れかに記載の操作制御方法。
【請求項１４】
前記第１のユーザ要求も、前記第２のユーザ要求も、ユーザからの処理条件の受付が完了したうえで前記操作手段に実行させる特定の表示を介して、ユーザから受付可能にする、ことを特徴とする請求項１０〜１３の何れかに記載の操作制御方法。
【請求項１５】
前記第１のユーザ要求をユーザから受付可能にする特定の表示として、前記第１の処理モードの名称を示した表示を、前記操作手段により、実行させ、
前記第２のユーザ要求をユーザから受付可能にする特定の表示として、前記第２の処理モードの名称を示した表示を、前記操作手段により、実行させる、ことを特徴とする請求項１４記載の操作制御方法。
【請求項１６】
前記操作手段は、タッチパネル形式の表示手段を具備した操作手段であることを特徴とする請求項１０〜１５の何れかに記載の操作制御方法。
【請求項１７】
前記画像形成装置が具備する原稿読取手段により読取った原稿の画像を前記印刷手段により記録紙に印刷可能にすることを特徴とする請求項１０〜１６の何れかに記載の操作制御方法。
【請求項１８】
前記画像形成装置はカラー画像を記録紙に印刷可能なカラー画像形成装置であることを特徴とする請求項１０〜１７の何れかに記載の操作制御方法。
【発明の詳細な説明】
【技術分野】
【０００１】
本発明は、画像形成装置の処理モードの設定操作に関するものである。
【背景技術】
【０００２】
従来から、画像形成装置においては、機械を操作するために操作部を用いており、この装置に設定された様々な状態は、操作部の液晶画面への表示と外部のＬＥＤを用いて表現されていた。
【特許文献１】特開平４−２４３３７６号公報
【発明の開示】
【発明が解決しようとする課題】
【０００３】
しかしながら、従来の画像形成装置における操作部では、装置に設定された特定の状態、例えばカラーバランスについてただ１つの表現方法で表示しているだけで、操作になれていない操作者にとってはわかりずらいことが多かった。
【０００４】
また、設定したカラーバランスはモードメモリ等に登録することができたが、複写枚数や倍率等もいっしょに登録されてしまい、使い勝手が良くなかった。
【０００５】
また、階層式に複写モードの設定画面を順次表示させて、所望の複写モードを設定する方式において、所望の複写モードを設定した後、最後の設定画面で設定した条件を変更しようとすると、再び最初の設定画面から設定し直さなければならず、操作性が悪かった。
【課題を解決するための手段】
【０００６】
上記課題を解決するために、本発明は、印刷手段を具備する画像形成装置の該印刷手段による印刷を行ううえで操作手段を介してユーザから処理条件を受付可能な処理モードに該当する第１の処理モードと第２の処理モードとを含む複数種類の処理モードのうちの、該第１の処理モードの処理条件をユーザから受付可能にする第１の表示を、該操作手段により、実行させ、且つ、該第１の表示を介して、該第１の処理モードの処理条件を、ユーザから受付可能にし、前記複数種類の処理モードのうちの前記第２の処理モードの処理条件をユーザから受付可能にする第２の表示を、前記操作手段により、実行させ、且つ、該第２の表示を介して、該第２の処理モードの処理条件を、ユーザから受付可能にし、更に、前記第１の表示を介して前記第１の処理モードの処理条件を既にユーザから受付済みの場合に、該既にユーザから受付済みの第１の処理モードの処理条件を前記操作手段を介してユーザにより確認可能にする表示を該操作手段に実行させる第１のユーザ要求を、前記印刷手段による印刷に要する記録紙に係わる情報及び印刷部数に係わる情報の少なくとも何れかの情報を含む前記画像形成装置の標準設定情報の表示を該操作手段に実行させた状態のままで、該操作手段を介して、ユーザから受付可能にし、一方、前記第２の表示を介して前記第２の処理モードの処理条件を既にユーザから受付済みの場合に、該既にユーザから受付済みの第２の処理モードの処理条件を前記操作手段を介してユーザにより確認可能にする表示を該操作手段に実行させる第２のユーザ要求を、前記標準設定情報の表示を該操作手段に実行させた状態のままで、該操作手段を介して、ユーザから受付可能にし、更に、前記操作手段により前記標準設定情報の表示がなされた状態にて該操作手段を介して前記第１のユーザ要求をユーザから受付けた場合に、前記既にユーザから受付済みの第１の処理モードの処理条件をユーザにより確認可能にする表示として、該第１の処理モードの処理条件を既にユーザから受付済みである事が既に表示内容に反映済みの前記第１の表示を、該操作手段により、実行させ、一方、前記操作手段により前記標準設定情報の表示がなされた状態にて該操作手段を介して前記第２のユーザ要求をユーザから受付けた場合に、前記既にユーザから受付済みの第２の処理モードの処理条件をユーザにより確認可能にする表示として、該第２の処理モードの処理条件を既にユーザから受付済みである事が既に表示内容に反映済みの前記第２の表示を、該操作手段により、実行させる、ものである。
【発明の効果】
【０００７】
請求項１、請求項１０記載の本発明によれば、印刷手段を具備する画像形成装置の該印刷手段による印刷を行ううえで操作手段を介してユーザから処理条件を受付可能な処理モードに該当する第１の処理モードと第２の処理モードとを含む複数種類の処理モードのうちの、該第１の処理モードの処理条件をユーザから受付可能にする第１の表示を、該操作手段により、実行させ、且つ、該第１の表示を介して、該第１の処理モードの処理条件を、ユーザから受付可能にし、前記複数種類の処理モードのうちの前記第２の処理モードの処理条件をユーザから受付可能にする第２の表示を、前記操作手段により、実行させ、且つ、該第２の表示を介して、該第２の処理モードの処理条件を、ユーザから受付可能にし、更に、前記第１の表示を介して前記第１の処理モードの処理条件を既にユーザから受付済みの場合に、該既にユーザから受付済みの第１の処理モードの処理条件を前記操作手段を介してユーザにより確認可能にする表示を該操作手段に実行させる第１のユーザ要求を、前記印刷手段による印刷に要する記録紙に係わる情報及び印刷部数に係わる情報の少なくとも何れかの情報を含む前記画像形成装置の標準設定情報の表示を該操作手段に実行させた状態のままで、該操作手段を介して、ユーザから受付可能にし、一方、前記第２の表示を介して前記第２の処理モードの処理条件を既にユーザから受付済みの場合に、該既にユーザから受付済みの第２の処理モードの処理条件を前記操作手段を介してユーザにより確認可能にする表示を該操作手段に実行させる第２のユーザ要求を、前記標準設定情報の表示を該操作手段に実行させた状態のままで、該操作手段を介して、ユーザから受付可能にし、更に、前記操作手段により前記標準設定情報の表示がなされた状態にて該操作手段を介して前記第１のユーザ要求をユーザから受付けた場合に、前記既にユーザから受付済みの第１の処理モードの処理条件をユーザにより確認可能にする表示として、該第１の処理モードの処理条件を既にユーザから受付済みである事が既に表示内容に反映済みの前記第１の表示を、該操作手段により、実行させ、一方、前記操作手段により前記標準設定情報の表示がなされた状態にて該操作手段を介して前記第２のユーザ要求をユーザから受付けた場合に、前記既にユーザから受付済みの第２の処理モードの処理条件をユーザにより確認可能にする表示として、該第２の処理モードの処理条件を既にユーザから受付済みである事が既に表示内容に反映済みの前記第２の表示を、該操作手段により、実行させるので、前記第１の処理モードの処理条件をユーザから受付済みの場合でも、前記第２の処理モードの処理条件をユーザから受付済みの場合でも、その処理モードの処理条件の詳細の確認が前記操作手段を介して容易に行うことができる。
【発明を実施するための最良の形態】
【０００８】
（実施例）
以下、図面を参照して本発明の実施例を詳細に説明する。
【０００９】
図１は、本発明を適用できる画像形成装置の操作表示部分を示す図である。
【００１０】
ここで、１０１から１１５は様々な画像処理の動作モードを設定するためのキーであり、各キーをオンする毎に、そのキーに応じた画像処理条件の設定、非設定が行われ、設定状態ではキーの内部に設けられたＬＥＤが点灯し、非設定状態では消灯となる。また、１１６はその表面にタッチパネルがある液晶表示部で、画面上に画像処理条件に係わる任意のソフトキーを作成可能である。
【００１１】
図２は、画像形成装置の概略断面図を示す。
【００１２】
本例は、上部にデジタルカラー画像リーダ部、下部にデジタルカラー画像プリンタ部を有する。
【００１３】
リーダ部において、原稿２２７を原稿台ガラス２２８上に載せ、露光ランプ２２９により露光走査することにより、原稿２２７からの反射光像を、レンズ２３０によりフルカラーセンサ２３１に集光し、レッド、グリーン、ブルーの各色に色分解された画像信号を得る。色分解された画像信号は、（図示しない）増幅回路を経て、（図示しない）ビデオ処理ユニットにて処理を施され、プリンタ部に送出される。
【００１４】
プリンタ部において、像担持体である感光ドラム２０１は矢印方向に回転自在に担持され、感光ドラム２０１の周りに前露光ランプ２１１、コロナ帯電器２０２、レーザ露光光学系２０３、電位センサ２１２、色の異なる４個の現像器２０４ｙ（イエロー），２０４ｃ（シアン），２０４ｍ（マゼンタ），２０４Ｂｋ（ブラック）、ドラム上光量検知手段２１３、転写装置２０５、クリーニング器２０６を配置する。
【００１５】
レーザ露光光学系２０３において、リーダ部からの画像信号は、レーザ出力部（図示しない）にて光信号に変換され、変換されたレーザ光がポリゴンミラー２０３ａで反射され、レンズ２０３ｂ及びミラー２０３ｃを通って、感光ドラム２０１の面に投影される。
【００１６】
プリンタ部画像形成時には、感光ドラム２０１を矢印方向に回転させ、前露光ランプ２１１で除電した後の感光ドラム２０１を帯電器２０２により一様に帯電させて、各分解色ごとに光像Ｅを照射し、潜像を形成する。
【００１７】
次に、所定の現像器を動作させて、感光ドラム２０１上の潜像を現像し、感光ドラム２０１上に樹脂を基体としたトナー画像を形成する。現像器は、偏心カム２２４ｙ，２２４ｃ，２２４ｍ，２２４Ｂｋの動作により、各分解色に応じて択一的に感光ドラム２０１に接近するようにしている。
【００１８】
一方、画像が転写される記録材は記録材カセットに積載されていて、ピックアップローラ２３２によってカセットからピックアップされ、給紙ローラ２３３によってレジストローラ２１８に向かって搬送される。このレジストローラの直前に光透過型のセンサ２２３が配置されていて、このセンサを記録材が遮光する時間の長さによって搬送された記録材の種類が判別できるようになっている。そして、レジストローラの位置まで搬送された記録材は、レジストローラによって感光ドラム２０１上の画像先頭位置と記録材の先頭が同期するタイミングで転写ドラム２０５ａに送られる。この記録材が対向電極となる吸着ローラ２０５ｇと吸着帯電器２０５ｃによって転写ドラムに静電吸着され、転写帯電器２０５ｂによって感光ドラム上の画像が記録材に転写される。
【００１９】
転写装置２０５は、本例では転写ドラム２０５ａ、転写帯電器２０５ｂ、記録材を静電吸着させるための吸着帯電器２０５ｃと対向する吸着ローラ２０５ｇ、内側帯電器２０５ｄ、外側帯電器２０５ｅとを有し、回転駆動されるように軸支された転写ドラム２０５ａの周面開口域には誘電体からなる記録材担持シート２０５ｆを円筒状に一体的に張設している。記録材担持シート２０５ｆはポリカーボネートフィルム等の誘電体シートを使用している。
【００２０】
ドラム状とされる転写装置、つまり転写ドラム２０５ａを回転させるに従って感光ドラム上のトナー像は転写帯電器２０５ｂにより記録材担持シート２０５ｆに担持された記録材上に転写する。
【００２１】
このように記録材担持シート２０５ｆに吸着搬送される記録材には所望数の色画像が転写され、フルカラー画像を形成する。
【００２２】
フルカラー画像形成の場合、このようにして４色のトナー像の転写を終了すると記録材を転写ドラム２０５ａから分離爪２０８ａ，分離押し上げコロ２０８ｂ及び分離帯電器２０５ｈの作用によって分離し、熱ローラ定着器２０９を介してトレイ２１０に排紙する。
【００２３】
他方、転写後感光ドラム２０１は、表面の残留トナーをクリーニング器２０６で清掃した後再度画像形成工程に供する。
【００２４】
記録材の両面に画像を形成する場合には、定着器２０９を排出後、すぐに搬送パス切替ガイド２１９を駆動し、搬送縦パス２２０を経て、反転パス２２１ａにいったん導いた後、反転ローラ２２１ｂの逆転により、送り込まれた際の後端を先頭にして送り込まれた方向と反対向きに退出させ、中間トレイ２２２に収納する。その後再び上述した画像形成工程によってもう一方の面に画像を形成する。
【００２５】
また、転写ドラム２０５ａの記録材担持シート２０５ｆ上の粉体の飛散付着、記録材上のオイルの付着等を防止するために、ファーブラシ２１４と記録材担持シート２０５ｆを介して該ブラシ２１４に対向するバックアップブラシ２１５や、オイル除去ローラ２１６と記録材担持シート２０５ｆを介して該ローラ２１６に対向するバックアップブラシ２１７の作用により清掃を行なう。このような清掃は画像形成前もしくは後に行ない、また、ジャム（紙づまり）発生時には随時行なう。
【００２６】
また、本例においては、所望のタイミングで偏心カム２２５を動作させ、転写ドラム２０５ａと一体化しているカムフォロワ２０５ｉを作動させることにより、記録材担持シート２０５ｆと感光ドラム２０１とのギャップを任意に設定可能な構成としている。例えば、スタンバイ中または電源オフ時には、転写ドラムと感光ドラムの間隔を離す。
【００２７】
本実施例の画像形成装置は、カラー複写機において出力されるコピーについて、カラー複写機の現像色であるＹ（イエロー），Ｍ（マゼンタ），Ｃ（シアン），Ｂｋ（ブラック）の４色の配合率を各色毎に調整する事によって所望の色合いを得るための”カラーバランス調整機能”を有している。
【００２８】
従来から、この”カラーバランス調整機能”は存在したが、カラーバランスを調整した後でこの状態を登録する場合には１つしか登録できなかったため、登録した内容はカラーバランスの調整画面にそのまま反映すれば良かった。しかしながら、今日のようにカラー複写機の需要が増えて頻繁に使われるようになると、特定の原稿毎に色合いのみを変更したり、使用者毎に所望の色合いを望むようになるために、複数のカラーバランス登録が必要となってきた。そのために、従来までと違って複数の登録したカラーバランスの内容を識別するための方法も必要となってきた。
【００２９】
そこで実施例では、複数のカラーバランスを登録する場合について述べる。まず、”カラーバランス”キー１０１（図示せず）を押すと、図３に示されるように、液晶表示部分に”カラーバランス調整画面”が表示され、イエロー、マゼンタ、シアン、ブラックの各色毎に”＋”キー，”−”キーを用いて配合率を調整できる。ここで調整したカラーバランスを登録する場合には、図３の表示画面下方の”登録”キーを押して”ＯＫ”キーを押すと、図４に示すような”カラーバランス登録画面”が液晶表示部分に表示される。この実施例では、４個までのカラーバランス登録が可能で、登録方法としては、（１）通常の登録，（２）名称による登録の２種類がある。まず、通常の登録方法は、図４の”カラーバランス登録画面”で登録したい場所（キー）を押すと、そのキーの部分に”カラーバランス調整画面”で調整した内容が図７に示すように各色の配合率に応じたバー状のグラフィックと数字を用いて表現され、”ＯＫ”キーを押すとそのキーの位置に応じたメモリの記憶領域に登録される。
【００３０】
次に、名称を用いた登録方法は、図４の”カラーバランス登録画面”で登録したい場所（キー）を押し、画面の下方にある”名称登録”キーを押して”ＯＫ”キーを押すと、図５に示すような”カラーバランス名称登録画面”となり、名称登録が可能となる。ここで表示部に表示されたキーボードにより所望の名称（５文字以内）を入力して”ＯＫ”キーを押すと”カラーバランス登録画面”に戻り、登録した場所（キー）のキートップに”カラーバランス調整画面”で調整した内容と”カラーバランス名称登録画面”で設定した名称が図４に示すようにバーグラフと数値の代わりに名称と数値を用いて表現され、”ＯＫ”キーを押すと登録される。
【００３１】
そしてこの２種類のカラーバランスの表現方法は、図４に示すように、同一画面上に混在させて表示する事が可能であり、操作者は各自の好みの表現形態でカラーバランスを登録する事ができる。また、以前に登録されたカラーバランスを確認したり、呼び出して使う場合には、図３に示す”カラーバランス調整画面”の下方にある”呼出”キーを押して”ＯＫ”キーを押すと、図６に示すような”カラーバランス呼出画面”が液晶表示部に表示される。この画面において、すでに登録されているカラーバランスの中から１個を呼び出す事が可能で、呼び出したい場所（キー）を押すとそのキーに対応したメモリの領域に格納されたカラーバランスのデータが呼び出せる。この”カラーバランス呼出画面”においても２種類の表現方法が併用でき、同一画面上に混在して表示できる。このため、操作者は実際に呼び出さなくても登録されているカラーバランスについての情報が確認でき、新たなカラーバランスの登録や既存のカラーバランスの呼出が容易に行えるようになる。
【００３２】
以上のカラーバランス調整について図９のブロック図、図１０、図１１のフローチャートを用いて説明する。
【００３３】
図９は像形成装置の構成を示すブロック図であり、５０は装置全体の動作を制御する手段となるＣＰＵ、５１は各種制御プログラムや制御データや各種表示画面のデータを記憶したＲＯＭ、５２は種々のデータを記憶可能でＣＰＵのワークエリアとしても機能するＲＡＭ、１００は図１のキー１０１〜１１５や点キー、コピースタートキー等を含んだキー群、１１６−１は図１の表示部１１６の一部をなす表示器で、液晶ディスプレイ（ＬＣＤ）が使われている。１１６−２は表示器１１６の一部をなす入力手段となるタッチパネルであり、周知のものが使われる。２００は図２の像形成装置内の露光ランプ、モータ等の各種形成手段であり、ＣＰＵ５０により、直接或いは間接的に制御される。
【００３４】
図１０、図１１はカラーバランス調整のための制御フローであり、ＲＯＭ５１に予め記憶されている。
【００３５】
カラーバランスキー１０１が押されると、表示部に図３に示すカラーバランス調整画面を表示する（ステップ１０１）。そして、”＋”キー３０１、”−”キー３０２が押されたか否か判断し（ステップ１０２）、”＋”、”−”キー３０１、３０２が押されていれば、Ｙ、Ｍ、Ｃ、Ｂｋの色毎にカラーバランス値を増減し、設定された値をバッファに記憶する（ステップ１０３）。次に”登録”キー３０２が押されたか否か判定し（ステップ１０４）、押されていれば、図４に示すカラーバランス登録画面を表示する（ステップ１０５）。そして、設定したカラーバランスを登録するための登録エリア３０３〜３０６のいずれかが選択されたかを認識し（ステップ１０６）、選択された登録エリアにカラーバランスをバー状のグラフィックと数値で表示する（ステップ１０７）。そして”名称登録”キー３０７が押されたか否か判定し（ステップ１０８）、押されていれば、図５に示すカラーバランス名称登録画面を表示する（ステップ１０９）。そして、表示部１１６に表示されたキーボードからユーザにより入力される名称を”ＯＫ”キー３０８の入力により認識する（ステップ１１０）。そして、再びカラーバランス登録画面を表示するが、バー状のグラフィックの代わりに入力された名称を図４の様に表示する（ステップ１１１）。そして”ＯＫ”キー３０９が押されると、設定されたカラーバランス及び名称をＲＡＭ５１の対応する登録エリアに登録する（ステップ１１３）。そして、再び、図３に示すカラーバランス調整画面を表示し（ステップ１１４）、”呼出”キー３１０が押されたか否か判断する（ステップ１１５）。押されていれば、図６に示すカラーバランス呼出画面を表示する（ステップ１１６）。そして、ユーザにより登録済のカラーバランス３１１〜３１４のいずれかが選択されたかを認識し（ステップ１１７）、”ＯＫ”キー３１５が押されたか否かを判断し（ステップ１１８）、押されていれば、選択されたカラーバランスに応じたＲＡＭ５１の登録エリアからカラーバランス値を読み出して、現在のカラーバランス値を記憶するためのバッファへ記憶し（ステップ１１９）、バッファに記憶されたカラーバランス値に従って図３に示す様なカラーバランス調整画面を表示する（ステップ１２０）。
【００３６】
また、各表示画面で”取消”キーが押されると、その画面で選択された状態が取消される。
【００３７】
本発明における第２の実施例として、設定してたモードを標準画面上にキーとして表し、そのキーを押すと設定されたモードのセット画面が直接表示される機能について、図を用いて説明する。
【００３８】
本実施例では、複写機としては最もよく使われる機能の１つである”応用ズーム”機能に分類される”ＸＹ独立ズーム”と”拡大連写”について述べる。
【００３９】
これらの機能は従来から存在している機能である。しかし、従来はこれらのモードを設定した場合には、実際に設定した”ＸＹ独立ズーム”や”拡大連写”といったモードキーは表示されていなかった。
【００４０】
そこで、第２の実施例では、設定したモードを画面上にキーで表示し、そのキーを押すことによって直接その設定したモードの設定画面に遷移できるような処理について、前述した”ＸＹ独立ズーム”や”拡大連写”モードを用いて説明する。
【００４１】
まず、操作部の”応用ズーム”キー１０２（図示せず）を押すと、図１２（ａ）に示されるように、液晶表示部に”応用ズームメイン画面”が表示され、ここで応用ズームの種類を選択することができる。ここで、”ＸＹ独立ズーム”を設定する場合には、この画面で”ＸＹ独立ズーム”キーを押して”ＯＫ”キーを押すと、（ｂ），（ｃ）に示す”ＸＹ独立ズーム設定画面”が表示される。ここで、（ｂ）と（ｃ）の画面は設定方法が異なるだけで設定される内容は同一であり、通常は（ｂ）の画面が優先して表示される。この画面で”テンキー入力”キーを押すと（ｃ）の画面になる。いずれかの画面で”ＯＫ”キーを押すと、”ＸＹ独立ズーム”機能が設定され、表示部は図１２（ｄ）に示す標準画面となり、その左側の部分に”ＸＹ独立ズーム”キーが表示され、ＸＹ独立ズームが設定されたことがわかる。即ち、設定された画像処理の名称（ＸＹ独立ズーム）がキーとして表示される。
【００４２】
ここで、すでに設定した”ＸＹ独立ズーム”モードについて設定変更を行いたい場合には、図１２（ｄ）で”ＸＹ独立ズーム”キーを押すことによって直接”ＸＹ独立ズーム設定画面”（図１２（ｂ），（ｃ））となり、応用ズームの種類を選択するための”応用ズームメイン画面”（ａ）をスキップして表示が切り替わる。
【００４３】
次に”拡大連写”の場合には、図１２（ａ）の”応用ズームメイン画面”で”拡大連写”キーを押して”ＯＫ”キーを押すと、図１３（ａ）に示す”拡大連写メイン画面”が表示される。ここで、”％で指定”キーを押すと、図１２（ｂ），（ｃ）に示すような画面などが表示される。（一部（＋／−キーでの入力画面）は図示せず）ここで倍率を設定し”ＯＫ”キーを押すと、”拡大連写”機能が設定され、図１３（ｇ）のように標準画面となってその左側の部分に”拡大連写”キーが表示される。また、”拡大連写メイン画面”で、”枚数で指定”キーを押すと、図１３（ｄ）に示すような画面が表示される。ここで、枚数を選択し用紙選択を変更すると図１３（ｅ）をへて図１３（ｆ）に示す画面となる。この画面で”ＯＫ”キーを押すと、やはり”拡大連写”機能が設定され、図１３（ｇ）に示す標準画面となり、その左側の部分に”拡大連写”キーが表示される。即ち、設定された画像処理の名称（拡大連写）がキーとして表示される。
【００４４】
ここで、すでに設定した”拡大連写”モードについて設定変更を行いたい場合には、図１３（ｇ）の画面で”拡大連写”キーを押すことによって直接図１３（ｂ），（ｃ），（ｆ）などに示される拡大連写の詳細を設定する画面となり、応用ズームの種類を選択するための”応用ズームメイン画面”（図１２（ａ））や”拡大連写メイン画面”（図１３（ａ））をスキップして表示が切り替わる。但し、この場合、図１３（ｂ），（ｃ），（ｆ）等のどの画面で拡大連写を設定したかに応じて、戻る画面が異なる。即ち、前に選択した画面に戻る。
【００４５】
以上のようにすると、操作者は設定されているモードを標準画面上に表示されている所望のモードキーを押すことによってモードの詳細の確認や変更が容易に行えるようになる。
【００４６】
また、この設定されたモードを示すキーは、組み合わせ可能な複数のモードが設定された場合には、後から設定されたモードのキーが常に左上に表示され、それまでに設定されていたモードを示すキーが図１４に示すような法則に乗っ取って移動して表示される。すなわち、最初に”ＸＹ独立ズーム”が設定され、次に”移動”が設定され、３番目に”色変換”が設定されたならば、図１４（ａ），（ｂ），（ｃ）に示したように画面は遷移する（ただし、各モードの詳細の設定画面は省略した。）。
【００４７】
さらに、すでに設定されたモードを取り消した場合には、設定されたモードを示すキーが図１５に示すような画面遷移をする。すなわち、図１５（ａ）に示すような各種モードが設定されていたときに、”ＸＹ独立ズーム”が取り消されると、図１５（ｂ）に示す画面となり、さらに、”色変換”が取り消されると、図１５（ｄ）の画面となる。これとは別の例として、図１５（ａ）の状態で”移動”が取り消されると、図１５（ｃ）の画面となる。つまり、取り消されたモードキーのあった場所を埋めるようにして、これらのモードキーは移動する。このため、モードキーの配列の原則は変化なく最後に設定されたモードが常に左上に配置される。
【００４８】
このため、操作者には自分が設定したモードについて、設定した順序が明確になり、優先的に動作するモードの判別が容易になる。
【００４９】
以上のモード設定画面の表示制御を図１６，図１７のフローチャートに従って説明する。
【００５０】
応用ズームキー１０２を押すと表示部１１６に、図１２（ａ）に示す応用ズームメイン画面を表示する（ステップ２００）。そして取消キー４０１が押されたか否か判断し（ステップ２０１）、ＸＹ独立ズームキー４０２、拡大連写キー４０３、ズームプログラムキー４０４、縮小レイアウトキー４０５が押されたか否か判断する（ステップ２０２、２０３）。ＸＹ独立ズームキー４０２がオンされた場合、ＯＫキー４０６がオンされたか否かを判断し（ステップ２０４）、オンされていれば、図１２（ｂ）に示す”＋”、”−”キーによる設定画面を表示する（ステップ２０６）。ＯＫキー４０６を押すまで、応用ズームの他のモードへ変更できる。図１２（ｂ）に示す画面が表示された後、”点キー入力”キー４０７がオンされたか否かを判断し（ステップ２０７）、オンされると図１２（ｃ）に示す点キー入力による設定画面を表示する（ステップ２１３）。オンされていなければ”＋”、”−”、”Ａ”キー４０８による倍率入力があるか否か判断し（ステップ２０８）、入力があれば入力された倍率を例えば図１２（ｂ）に示すように表示する（ステップ２０９）。そして取消キー４０９がオンされたか否か判断し（ステップ２１０）、オンされていればステップ２００に戻る。オンされていなければＯＫキー４１０が押されたか否か判断し（ステップ２１１）、押されていなければステップ２０７へ戻り、押されていれば、図１２（ｂ）の画面でＸＹ独立ズームの倍率を設定したことを示すためにフラグを１にセットする（ステップ２１２）。そして図１２（ｄ）に示すように標準画面を表示し、左側にＸＹ独立ズームのモードで倍率が設定されたことを示す”ＸＹ独立ズーム”キー４１１を表示する（ステップ２１２）。
【００５１】
また、テンキー入力による設定画面が表示されている場合、”＋−キー入力”キー４１２がオンされたか否か判定し（ステップ２１４）、オンされるとステップ２０６へ戻り、図１２（ｂ）の画面を再び表示する。オンされていなければ、テンキーによる倍率入力があるか否か判断し（ステップ２１５）、入力があれば指定された方向（Ｘ，Ｙ）の倍率を図１２（ｃ）のように表示する（ステップ２１６）。そして取消キー４１３がオンされたか否か判断し（ステップ２１８）、オンされていればステップ２００へ戻り、オンされていなければＯＫキー４１４がオンされたか否か判断し（ステップ２１８）、オンされていなければステップ２１４へ戻り、オンされていれば図１２（ｃ）の画面でＸＹ独立ズームの倍率を設定したことを示すためにフラグを２にセットする（ステップ２１９）。そして、図１２（ｄ）に示すように標準画面を表示し、左側に”ＸＹ独立ズーム”キー４１１を表示する（ステップ２１２）。
【００５２】
尚、図１２（ａ）の画面で拡大連写やズームプログラムが選択され、それぞれの設定画面に移行し、パラメータが設定されると、ＸＹ独立ズームと同様、それぞれの設定画面フラグがセットされ、標準画面の左側に”拡大連写”キーや”ズームプログラム”キーが表示される。
【００５３】
また、ステップ２０１において取消キー４０１がオンされると、それ以前に設定されていた応用ズームの中のモードのうちの設定画面フラグをクリアし（ステップ２２０）、設定画面フラグに従って各モードが設定されたことを示すキーを表示する（ステップ２２１）。
【００５４】
この取消しの具体例を図１７を用いて説明する。
【００５５】
標準画面の左側に”ＸＹ独立ズーム”キーや”拡大連写”キー等が表示されている状態で、これらの設定済モードを示すキーがオンされたか否か判断し（ステップ２３２）、オンされていなければ他の処理へ進み、オンされていればどのキーがオンされたかを判断する（ステップ２３３）。”ＸＹ独立ズーム”キーがオンされていれば、ＲＡＭに記憶された設定画面フラグを判断する（ステップ２３４）。設定画面フラグが１であれば、図１２（ｂ）の画面を表示し（ステップ２３５）、設定画面フラグが２であれば、図１２（ｃ）の画面を表示する（ステップ２４１）。
【００５６】
ステップ２３６〜２４０、２４２〜２４６は図１６のステップ２０７〜２１１、２１４〜２１７と同様の処理なので説明を省略する。但し、ステップ２３９、２４５で取消キーがオンされたと判断すると、図１２（ａ）に示す応用ズームメイン画面を表示し（ステップ２４７）、取消キーがオンされたか否かを判断する（ステップ２４８）。オンされていなければ、図１６のステップ２０２以降を実行し、オンされていればＸＹ独立ズームの設定画面フラグをクリアし（ステップ２４９）、その後、標準画面を表示するが、左側の”ＸＹ独立ズーム”キーの表示を消す（ステップ２５０）。
尚、応用ズームの他のモードにおいても同様である。
【図面の簡単な説明】
【００５７】
【図１】画像形成装置の操作表示部を示す図。
【図２】画像形成装置の概略断面図。
【図３】カラーバランスの設定画面を示す図。
【図４】カラーバランスの登録画面を示す図。
【図５】カラーバランスの登録における名称入力の画面を示す図。
【図６】カラーバランスの呼出画面を示す図。
【図７】カラーバランスの登録キーを示す図。
【図８】カラーバランスの登録キーを示す図。
【図９】画像形成装置の簡易構成を示すブロック図。
【図１０】カラーバランス調整モードの処理を示すフローチャート。
【図１１】カラーバランス調整モードの処理を示すフローチャート。
【図１２】応用ズーム（ＸＹ独立ズーム）の設定画面の遷移を示す図。
【図１３】応用ズーム（拡大連写）の設定画面の遷移を示す図。
【図１４】画像処理を追加設定したときのタッチパネルの標準画面の遷移を示す図。
【図１５】設定済の画像処理をキャンセルしたときのタッチパネルの標準画面の遷移を示す図。
【図１６】応用ズームの設定処理を示すフローチャート。
【図１７】応用ズームの設定処理を示すフローチャート。
【図１】
2006094554.tif 000003
【図２】
2006094554.tif 000004
【図３】
2006094554.tif 000005
【図４】
2006094554.tif 000006
【図５】
2006094554.tif 000007
【図６】
2006094554.tif 000008
【図７】
2006094554.tif 000009
【図８】
2006094554.tif 000010
【図９】
2006094554.tif 000011
【図１０】
2006094554.tif 000012
【図１１】
2006094554.tif 000013
【図１２】
2006094554.tif 000014
【図１３】
2006094554.tif 000015
【図１４】
2006094554.tif 000016
【図１５】
2006094554.tif 000017
【図１６】
2006094554.tif 000018
【図１７】
2006094554.tif 000019